(57)【要約】【課題】外箱本体部の台として用いたときに、適した上面面積と高さとを有する載置用の台部を、不使用時には省スペースで備えることができる活栓付き液体容器用外箱を提供する。【解決手段】柔軟な素材からなる袋状の活栓付き液体容器を収納し、自立する活栓付き液体容器として用いるための活栓付き液体容器用外箱において、袋状の活栓付き容器を収納したときに活栓部を外側の操作可能な位置に導くための導通孔または導通孔形成用部を備えた柱状の外箱本体部と、開口を有する箱状体であって該開口が前記柱状の外箱本体部の上部に嵌合可能である台部とを有する活栓付き液体容器用外箱。【選択図】図３
2005263239.tif 000002
【特許請求の範囲】
【請求項１】
柔軟な素材からなる袋状の活栓付き液体容器を収納し、自立する活栓付き液体容器として用いるための活栓付き液体容器用外箱において、袋状の活栓付き容器を収納したときに活栓部を外側の操作可能な位置に導くための導通孔または導通孔形成用部を備えた柱状の外箱本体部と、開口を有する箱状体であって該開口が前記柱状の外箱本体部の上部に嵌合可能である台部とを有することを特徴とする活栓付き液体容器用外箱。
【請求項２】
上記台部が１組の対向する面にそれぞれ１つずつ開口を有する箱状体であり、かつ、該一方の開口が前記柱状の外箱本体部の上部に嵌合可能で、かつ、他方の開口が前記柱状の外箱本体部の下部に嵌合可能であることを特徴とする請求項１に記載の活栓付き液体容器用外箱。
【請求項３】
台部の上記他方の開口が前記柱状の外箱本体部の下部に嵌合していないときに該他方の開口内にあって、その内部に外箱本体部内に内容される液体に付属する付属品を保持するための付属品保持容器部が付属することを特徴とする請求項２に記載の活栓付き液体容器用外箱。
【請求項４】
付属品保持容器部により上記付属品を上記他方の開口内に保持した台部を前記柱状の外箱本体部の上部に嵌合した状態に保つための保持手段を有することを特徴とする請求項３に記載の活栓付き液体容器用外箱。
【請求項５】
上記台部の他方の開口に、該他方の開口に前記柱状の外箱本体部の下部を嵌合させたときに、該他方の開口の縁が柱状の外箱本体部の導通孔に該当する箇所に切り欠き部が設けられていることを特徴とする請求項３または請求項４に記載の活栓付き液体容器用外箱。
【請求項６】
上記台部が紙からなることを特徴とする請求項１ないし請求項５のいずれかに記載の活栓付き液体容器用外箱。
【請求項７】
上記請求項１ないし請求項６に記載の活栓付き液体容器用外箱の柱状の外箱本体部内部に柔軟な素材からなる袋状の活栓付き液体容器を有することを特徴とする活栓付き液体容器。
【発明の詳細な説明】
【技術分野】
【０００１】
本発明は、活栓による液体の移動が容易な、活栓付き液体容器用外箱に関する。
【背景技術】
【０００２】
液体用活栓容器、すなわち、活栓付き液体用容器は、容器の側面下部あるいは底部に活栓を有し、内容する液体を容易に取り出すことができるので、理化学研究用途、工業用途をはじめ、家庭用などに至るまで広く用いられている。
【０００３】
ここで、柔軟な素材からなる（自立しない）袋状の活栓付き液体容器部とその袋状の活栓付き液体容器を自立する活栓付き液体容器として用いるための活栓付き液体容器用外箱とからなる活栓付き液体容器の例として、実開平７−１１５７０号公報に示されている活栓容器について図８を用いて説明する。この容器αは大別して、蓋α１により密閉されたねじ口部を有する比較的軟質な材料による袋状の液体容器部α２、段ボールを組み立ててなる比較的剛性の高い活栓付き液体容器用外箱α３、蓋α１に置換可能な、容器本体部α２のねじ口部に適合するねじ部を有する活栓部α４の４つの部材からなり、このうち、ねじ口部を有する比較的軟質な材料（樹脂シート）による袋状の液体容器部α２と活栓部α４とから袋状の活栓付き液体容器が形成される。
【０００４】
図８（ａ）では活栓付き液体容器用外箱α３に液体α５を内容する袋状の液体容器部α２を入れる際の状態を示した。活栓付き液体容器用外箱α３には容器α１のねじ口部に相当する箇所に切り取り線部α３ａが設けられていて、この部分を切ることにより導通孔α３ｂが形成される。
【０００５】
なお、図８（ａ）に示したような容器本体部α２のねじ口部が上になるような状態で、内容液α５がこぼれないようにして蓋α１を外し、次いで容器α２のねじ口部に活栓部α４を取り付ける。
【０００６】
活栓付き液体容器用外箱α３の袋状の活栓付き容器を内容したときに活栓部を外側の操作可能な位置に導くための導通孔を形成するために導通孔形成部α３ａを切り取り、形成された導通孔α３ｂから活栓部α４が活栓付き液体容器用外箱α３の外に位置するようにして外容器部α３を組み立て、次いで、活栓部α４が容器α下方に位置するように図８（ｂ）中矢印に示すように回転させる。
【０００７】
使用に際しては、例えば図８（ｃ）に示すように、テーブルα６の隅に活栓部α４の下方に空間が確保されるようにして、活栓部α４を操作することにより容器αの内容液α５を取り出すことができる。
【０００８】
このような活栓容器は、安価な部材を組み合わせることにより、安価で一回使用（いわゆる「使い捨て可能」）の自立型活栓付き液体容器を得ることができ、このとき各部材はそれぞれリサイクル可能であるが、この容器の活栓が容器側面の下部に設けられているために、上記のように置き場所が限定され、あるいは、内容液を取り出す際に容器を持ち上げるなどの手間が必要であった。
【特許文献１】実開平７−１１５７０号公報
【発明の開示】
【発明が解決しようとする課題】
【０００９】
活栓付き液体容器は上記のような欠点があったが、このような活栓付き液体容器に適した台を用いることにより容易に解決できる。
【００１０】
すなわち、工場、研究室などで、長期間あるいは継続的に活栓容器を用いる場合には、その活栓容器に適した台を購入あるいは作製すれば良い。
【００１１】
しかし、例えば、家庭などで清涼飲料、ミネラルウオーター類、ワイン、酒等（以下「各種飲料」）を内容する自立する活栓付き液体容器（例えば２〜８Ｌ程度の内容量の活栓付き液体容器）をその内容液が存在する期間のみなど比較的短期間、テーブルなどに置いて用いる場合などではこのような活栓付き液体容器に適した台を購入、あるいは作製するのはこれら各種飲料の購入者にとって負担となる。そのため、上記問題点を我慢して使用するか、あるいは、台となる適当なものを用いるかのどちらかとなるが、後者の場合、その活栓付き液体容器に適した台、すなわち、その活栓付き液体容器を載置するに充分な大きさでありながら、かつ、必要以上に大きくなく、さらに、活栓から流出する内容液をコップなどの他の容器に注ぐのに適した高さを有する台が一般家庭では得られにくい。
【００１２】
このような問題に対して、これら各種飲料の販売の際にその活栓付き液体容器に適合する台を別途頒布することにより、購入者の利便性は向上するが、流通、保管、販売において、台の取り扱いの手間が必要となるはもちろん、必要なスペースの点で、充分なスペースの確保が難しい酒店、スーパーマーケット、コンビニエンスストア等の販売店の大きな負担となる。
【００１３】
本発明は、上記した従来の問題点を改善する、すなわち、柔軟な素材からなる（自立しない）袋状の活栓付き液体容器部とその袋状の活栓付き液体容器を自立する活栓付き液体容器として用いるための活栓付き液体容器用外箱とからなる活栓付き液体容器であって、不使用時には省スペースで備える、適した上面面積と高さとを有する載置用の台部を有する活栓付き液体容器用外箱を提供することを目的とする。
【課題を解決するための手段】
【００１４】
本発明の活栓付き液体容器用外箱は上記課題を解決するため、請求項１に記載の通り、柔軟な素材からなる袋状の活栓付き液体容器を収納し、自立する活栓付き液体容器として用いるための活栓付き液体容器用外箱において、袋状の活栓付き容器を収納したときに活栓部を外側の操作可能な位置に導くための導通孔または導通孔形成用部を備えた柱状の外箱本体部と、開口を有する箱状体であって該開口が前記柱状の外箱本体部の上部に嵌合可能である台部とを有する活栓付き液体容器用外箱である。
【００１５】
本発明の活栓付き液体容器は、上記課題を解決するため、請求項７に記載の通り、柔軟な素材からなる袋状の活栓付き液体容器と、該袋状の活栓付き液体容器を収納し、かつ収納された該袋状の活栓付き液体容器の活栓部を操作可能な位置に導くための導通孔または導通孔形成用部を備えた柱状の活栓付き液体容器用外箱とを有する活栓付き液体容器において、開口を有する箱状体であって該開口が前記柱状の外箱本体部の上部に嵌合可能である台部を有する活栓付き液体容器である。
【００１６】
また、本発明の活栓付き液体容器は請求項１ないし請求項６の活栓付き液体容器用外箱を有し、かつ、上記柱状の外箱本体部内部に柔軟な素材からなる袋状の活栓付き液体容器を有する活栓付き液体容器である。
【発明の効果】
【００１７】
本発明の活栓付き液体容器用外箱を柔軟な素材からなる袋状の活栓付き液体容器と組み合わせて自立型活栓付き液体容器としたときに、台部の開口を柱状の外箱本体部の上部に嵌合させた、台部を一体化された状態で流通させ、倉庫に保管し、あるいは、販売店の店頭などに置くことが可能となり、このとき、省スペースであり、かつ、台部と自立型活栓付き液体容器とを別々に取り扱う場合に比べ、流通や販売の手間が大幅に省ける。
【発明を実施するための最良の形態】
【００１８】
本発明の活栓付き液体容器用外箱において、請求項２に記載のように上記台部が１組の対向する面にそれぞれ１つずつ開口を有する箱状体であり、かつ、該一方の開口が前記柱状の外箱本体部の上部に嵌合可能で、かつ、他方の開口が前記柱状の外箱本体部の下部に嵌合可能であると、この活栓付き液体容器用外箱と柔軟な素材からなる袋状の活栓付き液体容器と組み合わせて得られる自立型活栓付き液体容器（以下「活栓付き液体容器」とも云う）の積み重ねた状態での保管、運搬が共に容易となる。あるいは、後述するように、付属品の添付が容易となる。
【００１９】
請求項２に記載の活栓付き液体容器用外箱において、請求項３に記載のように台部の上記他方の開口が柱状の外箱本体部の下部に嵌合していないとき、すなわち、台部を台部として用いていないときに、この台部の他方の開口内にあってその内部に外箱本体部内に内容される液体に付属する付属品を保持するための付属品保持容器部を付属させることにより、例えば、この内容液体と共に用いるもの、例えば薬味、スパイス、香料、香辛料、あるいは、景品、くじ、玩具等の景品等各種販売促進物などの付属品を添付することが容易となり、あるいは、これら付属品が流通、保管の過程、あるいは販売店の店頭などで失われることを未然に防止することが可能となる。
【００２０】
さらにこのとき、請求項４に記載のように、付属品保持容器部により付属品を上記他方の開口内に保持した台部を前記柱状の外箱本体部の上部に嵌合した状態に保つための保持手段を有することにより、その効果をより確実なものとすることができる。
【００２１】
請求項３または請求項４に記載の活栓付き液体容器用外箱において、請求項５に記載のように、上記台部の他方の開口に、該他方の開口に前記柱状の外箱本体部の下部を嵌合させたときに、該他方の開口の縁が柱状の外箱本体部の導通孔に該当する箇所に切り欠き部が設けられていると、外箱本体部の側面のより低い位置に導通孔または導通孔形成用部を設けることが可能となり、内容液の活栓部からの取り出しが、より少ない量になっても容易に行えると共に、他方の開口の深さを充分に深いものとすることが可能となるので、使用状態台部と外箱本体部との嵌合がより確実なものとすることができ、台部上の外箱本体部の転倒などの事故を未然に防ぐことができる。また、切り欠き部の存在により、活栓付き容器としての使用状態での台部と外箱本体部との嵌合状態を規定することができる。
【００２２】
また、上記台部が紙製であると、軽量でコストも低く、リサイクルも容易であるので好ましい。このとき、例えば台部を段ボールから形成するか、厚紙を組み立てて形成することにより必要な剛性、強度が容易に得られ、また容易に印刷を施すことができるので、そのときには販売促進等の効果を得ることができる。しかし、台部として必要な強度が得られる範囲において樹脂などの他の素材からなっていても良く、樹脂からなる台の場合には耐水性や耐久性が良好となる。
【００２３】
以下、本発明について、図面を用いて説明する。まず、図１に、以下の説明で用いる、段ボールからなる比較的剛性の高い柱状（この例では直方体）の外箱本体部の一例１ａと、柔軟な素材からなる、自立しない袋状の活栓付き液体容器２とをモデル的に示した。
【００２４】
ここで、柔軟な素材からなる袋状の活栓付き液体容器２を構成する樹脂シートは薄く、かつ、軟質であるため、柔軟な素材からなる袋状の活栓付き液体容器は形状が一定しないために自立せず、そのままの状態では活栓部を有効に利用することもできず、また、複数個を積み重ねることともできず、極めて使用しにくい。しかし、このように柔軟な素材からなる自立しない袋状の活栓付き液体容器２を外箱本体部１ａ内に収納させることにより、賦形された、全体が自立する活栓付き液体容器として機能するので、使い勝手が著しく向上する。
【００２５】
本例では、この柔軟な素材からなる自立しない袋状の活栓付き液体容器２内部に液体（例えば赤ワイン）が内容液として内容されている。ここで、内容液の消費段階に至るまでの過程では活栓部２ａの破損および汚染、あるいは、活栓部２ａからの内容液の不用意な流出等を防止するために、図１（ｂ）に示すように活栓部２ａは外箱本体部１ａ内に収納されていることにより保護されている。
【００２６】
内容液の取り出しに際しては、次のようにして活栓部２ａを、操作可能となるように、外箱本体部１ａの外側にセットする。
【００２７】
すなわち、袋状柔軟な素材からなる自立しない袋状の活栓付き液体容器２の活栓部２ａに相当する外箱本体部１ａの箇所（側面下部）に設けられた切取線１ａ１（容易に切断できるように部分的に切断された箇所）により、活栓部２ａを外箱本体部１ａの外側の操作可能な位置に導くための導通孔を形成するための導通孔形成用部１ａ２を指などで押すことにより、導通孔形成用部１ａ２を外箱本体部１ａ内部に折り曲げ、次いで、扉部形成部１ａ３から切取線１ａ１を利用して扉部１ａ４として手前に開け、さらに導通孔形成用部１ａ２を切り取る（導通孔１ａ５の形成）。
【００２８】
次いで、外箱本体部１ａ内部の活栓部２ａを外箱本体部１ａの外側に引き出し、最後に扉部１ａ４を閉じることにより、外箱本体部１ａに設けられた導通孔１ａ５を通じて活栓部２ａを、操作可能な、外箱本体部１ａの外側に容易にセットすることができる。
【００２９】
なお、上記説明における袋状柔軟な素材からなる自立しない袋状の活栓付き液体容器２は活栓部２ａと一体となっているが、図８に示したように活栓部が袋状柔軟な素材からなる自立しない袋状の活栓付き液体容器から取り外し可能となっているものを用いても良い。
【００３０】
上記例では外箱本体部内部に活栓部が格納され、必要に応じて外箱本体部外部にセットするものについて説明し、以下ではこの例による活栓付き容器を用いて説明するが、活栓部が予め外箱本体部の外部にセットされた活栓付き容器を用いても良く、その場合も本発明に含まれる。
【００３１】
図２には本発明に係る、柔軟な素材からなる袋状の活栓付き液体容器を収納し、自立する活栓付き液体容器として用いるための活栓付き液体容器用外箱において、袋状の活栓付き容器を収納したときに活栓部を外側の操作可能な位置に導くための導通孔または導通孔形成用部を備えた柱状の外箱本体部と、開口を有する箱状体であって該開口が前記柱状の外箱本体部の上部に嵌合可能である台部とを有する活栓付き液体容器用外箱を用いてなる活栓付き液体容器の例Ａを示す。
【００３２】
すなわち、活栓付き液体容器Ａは柔軟な素材からなる袋状の活栓付き液体容器と、該袋状の活栓付き液体容器を収納し、かつ収納された該袋状の活栓付き液体容器の活栓部を操作可能な位置に導くための導通孔または導通孔形成用部を備えた柱状の活栓付き液体容器用外箱とを有する活栓付き液体容器において、開口を有する箱状体であって該開口が前記柱状の外箱本体部の上部に嵌合可能である台部を有する活栓付き液体容器である。
【００３３】
図２（ａ）は、台部１ｂの開口１ｂ１が柱状の外箱本体部１ａ（内部に柔軟な素材からなる袋状の活栓付き液体容器２（本例では３Ｌのワインを内容している）が収納されている）の上部に嵌合した状態を示す。このように台部１ｂの開口１ｂ１が柱状の外箱本体部１ａの上部に嵌合することにより、台部１ｂによる全体の体積増加はわずかであり、このような嵌合状態により消費までの過程（流通、保管、店頭展示、運搬等）では省スペースで、取り扱い性向上効果があり、かつ、外箱本体部１ａと台部１ｂとを別に扱うことによって生じる手間を省くことができる。
【００３４】
なお、これら図では記載していないが、例えば外箱本体部１ａと台部１ｂとを例えばシュリンカブルフィルム（熱収縮性フィルム）、粘着テープ等の一般的な手段により消費までの過程において分離不能とすることにより、上記効果をより確実にすることができ、その場合も本発明に含まれる。
【００３５】
このような内部に活栓付き液体容器用外箱Ａは次のようにセットすることにより容易に内部に内容される柔軟な素材からなる袋状の活栓付き液体容器２の活栓部２ａから内容液を取り出すことができる。
【００３６】
まず、柱状の外箱本体部１ａの上部から台部１ｂを持ち上げて（図２（ｂ））、この台部１ｂを所望の箇所（テーブルの上等）に置く。その後、図１（ｃ）〜図１（ｅ）に示した方法により袋状の活栓付き液体容器２活栓部２ａを外箱本体部１ａ外側の操作可能な位置に引き出した外箱本体部１ａを台部１ｂの上に置く。
【００３７】
このようにセットすることにより、活栓部２ａの下方には活栓部２ａから取り出された内容液を他の容器などで受けるために充分なスペースが形成される。さらに、直方体の台部１ｂの上面は、台部１ｂの開口１ｂ１が柱状の外箱本体部１ａの上部に嵌合可能である構成から、外箱本体部１ａの底面よりも広いために、このように外箱本体部１ａを台部１ｂに載置した場合でも比較的高い安定性が確保される。
【００３８】
なお、台部１ｂは厚紙を組み立ててなるため、充分に高い強度を確保ながら極めて軽量とすることが可能であり、そのとき、活栓付き液体容器用外箱Ａとしての台部１ｂによる重量増加はわずかであり、台部１ｂによる流通、運搬時の負担・コスト増は極めて少ない。
【００３９】
また、台部１ｂはこの例では直方体としたが、例えば安定性を増加させるため、あるいは、外箱本体部１ａに内容する内容液の取り出しを容易にするなどの必要に応じて、本発明の効果を失わない限りにおいて、他の形状でもよく、その場合も本発明に含まれる。
【００４０】
さらに、柱状の外箱本体部１ａの上面は外箱本体部１ａ全体の形状が柱状であれば多少の傾きや凹凸があっても良く、これら傾きや凹凸が小さければ上述のような台部１ｂでその傾きや凹凸を吸収することができるので活栓付き液体容器用外箱を重ね合わせることができ、この場合も本発明に属する。
【００４１】
図３には、他の本発明に係る活栓付き液体容器用外箱の一例Ｂを示す。活栓付き液体容器用外箱Ｂは、柔軟な素材からなる袋状の活栓付き液体容器（この例では３Ｌのワインを内容している）を収納し、自立する活栓付き液体容器として用いるための活栓付き液体容器用外箱において、袋状の活栓付き容器を収納したときに活栓部を外側の操作可能な位置に導くための導通孔または導通孔形成用部を備えた柱状の外箱本体部１ａと、開口１ｂ１’を有する箱状体（本例では直方体）であって該開口１ｂ１’が前記柱状の外箱本体部１ａの上部に嵌合可能である台部１ｂ’とを有し、上記台部１ｂが１組の対向する面にそれぞれ１つずつ開口１ｂ１’及び１ｂ２’を有する直方体であり、かつ、該一方の開口１ｂ１’が前記柱状の外箱本体部１ａ’の上部に嵌合可能で、かつ、他方の開口１ｂ２’が前記柱状の外箱本体部１ａ’の下部に嵌合可能である活栓付き液体容器用外箱である。
【００４２】
図３（ａ）は、台部１ｂ’の開口１ｂ１’が柱状の外箱本体部１ａの上部に嵌合した状態を示す。このように台部１ｂ’の開口１ｂ１’が柱状の外箱本体部１ａの上部に嵌合することにより、台部１ｂ’による全体の体積増加はわずかであり、このような嵌合状態により消費までの過程（流通、保管、店頭展示、運搬等）では省スペースで、取り扱い性向上効果があり、かつ、台部と本体部とを別に扱うことによって生じる手間を省くことができる。さらに、この例では台部１ｂ’は厚紙を組み立ててなるため（図４にこの台部１ｂ’の展開図を示す）、充分に高い強度を確保ながら極めて軽量とすることが可能であり、そのとき、活栓付き液体容器用外箱Ｂとしての台部１ｂ’による重量増加はわずかであり、台部１ｂ’による流通、運搬時の負担・コスト増は極めて少ない。
【００４３】
なお、これら図では記載していないが、例えば台部１ｂ’と外箱本体部１ａとを例えばシュリンカブルフィルム、粘着テープ等の一般的な手段により消費までの過程において分離不能とすることにより、上記効果をより確実にすることができ、その場合も本発明に含まれる。
【００４４】
このような活栓付き液体容器用外箱Ｂは次のようにセットすることにより容易に活栓部２ａから内容液を取り出すことができる。
【００４５】
まず、柱状の外箱本体部１ａの上部にその開口１ｂ１’により嵌合している台部１ｂ’を持ち上げて（図３（ｂ））、この台部１ｂ’を開口１ｂ２’が上になるようにして所望の箇所（テーブルの上等）に置く。その後、図１（ｃ）〜図１（ｅ）に示した方法により内容する袋状の活栓付き容器２の活栓部２ａを導通孔１ａ５により外箱本体部１ａ外部に引き出した外箱本体部１ａを、その下部が台部１ｂ’の開口１ｂ２’に嵌合するように、かつ、台部１ｂ’の開口１ｂ２’に設けられた切り欠き部１ｂ４’と外箱本体部１ａの導通孔１ａ５とが一致するように、開口１ｂ１’と開口１ｂ２’との間の底面部１ｂ３’上に置く。
【００４６】
このようにセットすることにより、活栓部２ａの下方には活栓部２ａから取り出される内容液をグラスなどの他の容器などで受けるために充分なスペースが形成される。さらに、直方体（箱状体）の台部１ｂ’の上面の開口１ｂ２’の内壁により外箱本体部１ａが倒れにくくなると共に、外箱本体部１ａと台部１ｂ’とがいわば一体化されるので、容器全体としてはその下部が膨出した袴部を有するのと同じとなり、容器全体自身も倒れにくくなり、台部１ｂ’によって全体の重心位置が高くなるにもかかわらず、高い安定性が確保される。
【００４７】
さらに、この例では、台部１ｂ’の他方の開口１ｂ２’に外箱本体部１ａの下部を嵌合させる際に他方の開口１ｂ２’の縁が外箱本体部１ａの活栓部２ａの基部に当接しないように、台部１ｂ’の他方の開口１ｂ２’に切り欠き部１ｂ４’が設けられている。この切り欠き部１ｂ４’がなければ、台部１ｂの上面の開口１ｂ２’の内壁の高さを低くする必要が生じ、その結果、台部１ｂ上における外箱本体部１ａの安定性は低くなるが、この切り欠き部１ｂ４’の存在により外箱本体部１ａの側面における活栓部２ａの取り付け高さにかかわりなく、台部１ｂの上面の開口１ｂ２’の内壁の高さを台部１ｂ上における外箱本体部１ａの安定性を充分に考慮した高さとすることができる。
【００４８】
なお、台部１ｂ'はこの例では直方体としたが、例えば安定性を増加させるため、あるいは、袋状の活栓付き容器２に内容される内容液の取り出しを容易にするなどの必要に応じて、本発明の効果を失わない限りにおいて、他の形状でもよく、その場合も本発明に含まれる。また、本例では、開口１ｂ１’と開口１ｂ２’との間の底面部１ｂ３’はこれら開口が形成された台部１ｂ’の面に平行となっているが、外箱本体部１ａに内容する内容液の取り出しを容易にするなどの必要に応じて、安定性が失われない限りにおいて、底面部１ｂ３’の２面のうちの開口１ｂ２’内の面を多少傾けてもよく、その場合にも本発明に含まれる。
【００４９】
また、柱状の外箱本体部１ａの上面は外箱本体部１ａ全体の形状が柱状であれば多少の傾き、凹凸があっても良く、これら傾きや凹凸が小さければ上述のような台部１ｂ’でその傾きや凹凸を吸収することができるので活栓付き液体容器用外箱を重ね合わせることができ、この場合も本発明に属する。
【００５０】
なお、上記例Ｂ’では外箱本体部１ａの形状では、その上面と底面との形状が等しいため、これら開口１ｂ１’と開口１ｂ２’とはやはり同じ形状となる。このために、図５（ａ）及び図５（ｂ）に示すように台部の開口１ｂ１’と開口１ｂ２’を介した互いに嵌合した重ね合わせが可能であり、このとき、例えば、外箱本体部１ａ単独を複数積み上げたときに比べ、積み上げ時の安定性が向上する。
【００５１】
また、台部１ｂ’の開口１ｂ１’を外箱本体部１ａに嵌合させた状態（図３（ａ）に示す状態）において、台部１ｂ’上部の開口１ｂ２’内部の空間は、この部分に、外箱本体部１ａに内容される付属品、あるいは、活栓付き液体容器用外箱Ｂにさらに付属させるべき部材の収納用スペースとしても用いることができる。
【００５２】
例えば、図７（ａ）に示すような、外箱本体部１ａにワインなどを内容させて販売する際に、販売促進用にスパゲティ用のパスタソース入り袋３ａや焼き海苔入り袋３ｂ等の景品を付属品３として添付する際に、例えば図６にその展開図を示す、台部１ｂ’の他方の開口１ｂ２’内に収納される付属品保持容器部１ｃ’を有する、外箱本体部１ａ（この場合、図３の台部１ｂ’と同じもの）、台部１ｂ’（この場合、図３の台部１ｂ’と同じもの）、付属品保持容器部１ｃ’、及び、付属品保持容器部により上記付属品３を上記他方の開口内に保持した台部を前記柱状の外箱本体部の上部に嵌合した状態に保つための保持手段からなる本発明に係る活栓付き液体容器用外箱Ｂ’を用いると、流通、在庫、店頭での展示などでも失われることがなく、かつ、付属品保持容器部１ｃ’の窓部１ｃ１’によって、これら付属品３の存在が外側から確認できるので、アピール性が高くなり好ましい。
【００５３】
なお、図７（ａ）に例示した保持手段は、一部に粘着剤１ｄ１’（この例では両面粘着テープによって形成されている）が付いた透明シート１ｄ’であり、このとき、外箱本体部１ａ、台部１ｂ’、付属品保持容器部１ｃ’及び付属品３とが一体となっているので、流通、在庫、店頭での展示などでもこれらを一体として取り扱うことができ、それぞれの亡失が防止されていると共に、外箱本体部１ａ、台部１ｂ’及び付属品保持容器部１ｃ’に印刷された色、文字やデザイン、及び、付属品保持容器部１ｃ’の窓部１ｃ１’による付属品３の存在が透明シート１ｄ’を透して視認できる。
【００５４】
このとき、透明シート１ｄ’は、付属品保持容器部１ｃ’により付属品を上記他方の開口内に保持した台部を前記柱状の外箱本体部１ａの上部に嵌合した状態に保つための保持手段として機能するが、この透明シート１ｄ’の代わりにシュリンカブルフィルム、粘着テープ等の一般的な手段をこの保持手段として用いても良い。
【００５５】
なお、商品としての液体を内容する活栓付き液体容器において、底辺が長方形である直方体形状の容器の場合、取り扱い性の点で商品の販売管理用バーコードと活栓部とは共に、４つの側面のうち、狭い方の２つの側面（底辺の長方形の短辺を共有する２側面）側に設けられる。
【００５６】
しかし、活栓部が設けられる側面（一方の狭い側面）は実際の使用のときにテーブルに置かれた場合に活栓操作者側となり、パッケージ全体の中のいわゆる「ハレ」の面となるので、活栓部が設けられる側面には、特に容器に内容される液体の印象を高めるにふさわしい印刷を施し、バーコードは他方の狭い側面に設けられる。
【００５７】
一方、商品としてのワインなどの液体を内容したこのような直方体形状の活栓付き液体容器が店頭の棚などに置かれる場合にも、一般に商品展示のスペースの関係で、やはり狭い方の側面が、しかもバーコード（パッケージデザインを高めるのに寄与しない）が設けられていない、上記の一方の狭い側面がいわゆる「フェイス」として購買者側に向けて置かれる。ここで、販売促進のために活栓付き液体容器に景品等を添付するときには、その景品の存在を購買者にアピールし、他の類似商品との差別化をはかるには、購買者から見える一方の狭い側面に例えば両面テープや糊、接着剤等を用いて貼付することが最も効果的である。しかし、この場合、購入後に景品を剥がしたときには活栓付き液体容器の側面の景品が貼り付いていた箇所の表面が剥がれが生じたり、糊、接着剤等が残って汚らしくなる。
【００５８】
このような活栓付き液体容器に内容される液体がワイン、清涼飲料などであり、その容量が２Ｌ以上（本例では３Ｌ）である場合を想定すると、通常の家庭での消費では活栓付き液体容器は１〜２週間程度に亘って食卓の上などに載置されると考えられるが、この期間中、表面が汚らしくなった面が食卓を囲む人の目に付くところに置かれることとなる。
【００５９】
しかしながら、図７に示された本発明に係る活栓付き液体容器用外箱Ｂ’を用いた活栓付き容器の場合、台部１ｂ’の開口１ｂ２’内に景品を収納することができるので両面テープや糊、接着剤等を用いて外箱本体部に貼りつける必要がなく、上記のような剥がれの発生によるイメージの低下の心配もない。また、さらに、台部１ｂ’の側面を用いた印刷等により、景品の付属をアピールし販売促進に供することが可能である。
【００６０】
このとき図７（ａ）及び図７（ｂ）に示したように、外箱本体部１ａの活栓部が設けられる側面１ａ６と、台部１ｂ’の狭い方の側面のうち、切り欠き部１ｂ４’のない方の面１ｂ５’とを組み合わせて嵌合させた場合、面１ｂ５’に「おまけ付き」など景品付きをアピールする、販売促進に適した文言やデザインを、例えば人目を引く配色で記載した場合であっても、台部１ｂ’を活栓付き液体容器の台部として使用したとき（図７（ｃ）参照）には、切り欠き部１ｂ４’の存在により、使用状態での台部のこれら販売促進用の印刷を施した面１ｂ５’は外箱本体部１ｂの活栓側面１ａ６の裏面側に規定されるとなるため、活栓付き液体容器として使用される場所（食卓等）では、これら販売促進のための文言やデザインによる内容される飲料のイメージは損なわれない。
【図面の簡単な説明】
【００６１】
【図１】本発明の詳細な説明で用いる、柱状の外箱本体部の一例１ａの説明図である。（ａ）柱状の外箱本体部１ａに柔軟な素材からなる（自立しない）袋状の活栓付き液体容器部２を収納する前の状態を示すモデル斜視図である。（ｂ）柱状の外箱本体部１ａに袋状の活栓付き液体容器部２を収納した状態を示すモデル斜視図である。（ｃ）外箱本体部１ａの側面下部の導通孔形成用部１ａ２を外箱本体部１ａ内部へ押し曲げた状態を示すモデル斜視図である。（ｄ）導通孔形成用部１ａ２を除去し、かつ、扉部１ａ４を手前に開けた状態を示すモデル斜視図である。（ｅ）導通孔１ａ５により柱状の外箱本体部１ａの外側に活栓部２ａをセットした状態を示すモデル斜視図である。
【図２】本発明に係る活栓付き液体容器用外箱Ａの説明図である。（ａ）活栓付き液体容器用外箱Ａにおいて台部１ｂの開口１ｂ１が外箱本体部１ａの上部に嵌合した状態を示すモデル斜視図である。（ｂ）（ａ）の台部１ｂを取り外した状態を示すモデル斜視図である。（ｃ）台部１ｂを外箱本体部１ａの下方に置いた状態を示すモデル斜視図である（ｄ）外箱本体部１ａを台部１ｂの上に置いた使用状態を示すモデル斜視図である。
【図３】本発明に係る活栓付き液体容器用外箱Ｂの説明図である。（ａ）活栓付き液体容器用外箱Ｂにおいて台部１ｂ’の開口１ｂ１’が外箱本体部１ａの上部に嵌合した状態を示すモデル斜視図である。（ｂ）（ａ）の台部１ｂ’を取り外した状態を示すモデル斜視図である。（ｃ）台部１ｂ’を外箱本体部１ａの下方に置いた状態を示すモデル斜視図である（ｄ）外箱本体部１ａを台部１ｂ’の底面部１ｂ３’上に、その底部が台部１ｂの他方の開口１ｂ２’に嵌合するように置いた、使用状態を示すモデル斜視図である。
【図４】図３で用いた台部１ｂ’の展開図の一例である。
【図５】本発明に係る活栓付き液体容器用外箱Ｂを複数積み重ねる状態のモデル説明図である。（ａ）積み重ねる前の状態を示すモデル斜視図である。（ｂ）３個を積み重ねた状態を示すモデル斜視図である。
【図６】付属品保持容器部１ｃ’の展開図の一例である。
【図７】本発明に係る活栓付き液体容器用外箱Ｂの応用例Ｂ’を示すモデル斜視図である。（ａ）分解説明図である。（ｂ）組み上げた状態を示す図である。（ｃ）使用状態を示す図である。
【図８】従来技術に係る液体用活栓容器を示す図である。（ａ）柱状液体用活栓容器の組み立て状態を示すモデル斜視図である。（ｂ）活栓部を取り付けた状態を示すモデル斜視図である。（ｃ）使用状態を示すモデル図である。
【符号の説明】
【００６２】
Ａ      本発明に係る活栓付き液体容器用外箱の例
Ｂ      本発明に係る活栓付き液体容器用外箱の他の例
Ｂ’    本発明に係る活栓付き液体容器用外箱の他の例（例Ｂの応用例）
１ａ    外箱本体部
１ａ１  切取線
１ａ２  導通孔形成用部
１ａ３  扉部形成部
１ａ４  扉部
１ａ５  導通孔
１ｂ、１ｂ’  台部
１ｂ１、１ｂ１’、１ｂ２’  開口
１ｂ３’  底面部
１ｂ４’  切り欠き部
１ｃ’  付属品保持容器部
１ｃ１’  窓部
１ｄ’  透明シート
１ｄ１’  粘着剤
２      柔軟な素材からなる（自立しない）袋状の活栓付き液体容器部
２ａ    活栓部
３      付属品
【図１】
2005263239.tif 000003
【図２】
2005263239.tif 000004
【図３】
2005263239.tif 000005
【図４】
2005263239.tif 000006
【図５】
2005263239.tif 000007
【図６】
2005263239.tif 000008
【図７】
2005263239.tif 000009
【図８】
2005263239.tif 000010